(57)【特許請求の範囲】
【請求項１】
頭部レールと底部レールと複数のブラインドスラットとを備えるベネチアン・ブラインドを切断するための装置であって、
頭部レール開口と、少なくとも１つのブラインドスラット開口と、底部レール開口とを画成する本体と；
回転可能なプレートであって、頭部レール開口部を備え、前記頭部レールを切断するように構成されたプレートと；
線状可動ブレードアセンブリであって、線状に動くときに前記底部レールおよび前記複数のブラインドスラットを切断するように構成されたブレードアセンブリと；
前記プレートおよび前記ブレードアセンブリに作用的に接続された駆動機構であって、それによって、前記プレートを回転させて前記頭部レールを切断しながら、同時に、前記ブレードアセンブリを動かして前記底部レールおよび前記複数のブラインドスラットを切断する駆動機構と、を備える装置。
【請求項２】
前記ブレードアセンブリはブレードハウジングを備え、前記ブレードハウジングは、前記底部レールを切断するための第１のブレードと、前記複数のブラインドスラットを切断するための第２のブレードとを支持する請求項１に記載の装置。
【請求項３】
前記第１のブレードは、先のとがった形状を有する請求項２に記載の装置。
【請求項４】
前記第１のブレードは、前記底部レールをその横断面の長手軸に沿って切断する請求項２に記載の装置。
【請求項５】
前記駆動機構は手動で操作される請求項１に記載の装置。
【請求項６】
前記本体に隣接した調節可能な端部ガイドをさらに含み、それによって、前記頭部レール、前記底部レールおよび前記ブラインドスラットの所望の長さが前記本体を通過したときに、前記端部ガイドが、前記頭部レール、前記底部レールおよび前記ブラインドスラットに接触するように構成される請求項１に記載の装置。
【請求項７】
前記端部ガイドは、端部ガイドロックをさらに備える請求項６に記載の装置。
【請求項８】
切断されたブラインド片を取り除くのを可能にするために前記端部ガイドが動くことができるように、前記端部ガイドが前記駆動装置に作用的に接続される請求項７に記載の装置。
【請求項９】
前記本体に対して並置されたサポートをさらに備え、前記サポートは、少なくとも前記頭部レール、前記底部レールおよび前記ブラインドスラットを支持するように構成された少なくとも１つのブラケットを含む請求項１に記載の装置。
【請求項１０】
ブラインドスラットクランプをさらに備える請求項１に記載の装置。
【請求項１１】
前記頭部レール開口部は、前記頭部レールの断面に対応するプロファイルを有する請求項１に記載の装置。
【請求項１２】
前記頭部レール開口部は、前記頭部レールを貫通するための歯状突起をさらに備える請求項１１に記載の装置。
【請求項１３】
頭部レールと底部レールと複数のブラインドスラットとを備えるベネチアン・ブラインド用の切断機械であって、
頭部レール開口と、底部レール開口と、前記複数のブラインドスラット用の少なくとも１つの開口とを画成する本体と；
前記頭部レールを切断するためのプレートであって、それを通って前記頭部レールの端部が受け取られる頭部レール開口部を画成するプレートと；
ブレードハウジングと、前記底部レールおよび前記ブラインドスラットを切断するための少なくとも１つのブレードとを備えるブレードアセンブリと；
前記プレートおよび前記ブレードアセンブリに作用的に接続された駆動機構であって、前記プレートをダイ軸を中心に回転させて前記頭部レールを切断し、さらに前記ブレードアセンブリを線状に動かして前記底部レールおよび前記ブラインドスラットを切断し、前記頭部レール、前記底部レールおよび前記ブラインドスラットが同時に切断される駆動機構と、を備える切断機械。
【請求項１４】
前記ブレードハウジングは、前記底部レールを切断するための第１のブレードと、前記複数のブラインドスラットを切断するための第２のブレードとを支持する請求項１３に記載の装置。
【請求項１５】
前記第１のブレードは、先のとがった形状を有する請求項１４に記載の装置。
【請求項１６】
前記駆動機構は手動で操作される請求項１３に記載の装置。
【請求項１７】
前記本体に隣接した調節可能な端部ガイドをさらに含み、それによって、前記頭部レール、前記底部レールおよび前記ブラインドスラットの所望の長さが前記本体を通って延伸されたとき、前記端部ガイドが、前記頭部レール、前記底部レールおよび前記ブラインドスラットに接触するように構成される請求項１３に記載の装置。
【請求項１８】
前記端部ガイドは、端部ガイドロックをさらに備える請求項１７に記載の装置。
【請求項１９】
切断されたブラインド片を取り除くのを可能にするために前記端部ガイドが動くことができるように、前記端部ガイドが前記駆動機構に作用的に接続される請求項１８に記載の装置。
【請求項２０】
前記本体に対して並置されたサポートをさらに備え、前記サポートは、少なくとも前記頭部レール、前記底部レールおよび前記ブラインドスラットを支持するように構成された少なくとも１つのブラケットを含む請求項１３に記載の装置。
【請求項２１】
ブラインドスラットクランプをさらに備える請求項１３に記載の装置。
【請求項２２】
前記頭部レール開口部は、前記頭部レールの断面に対応するプロファイルを有する請求項１３に記載の装置。
【請求項２３】
前記頭部レール開口部は、前記頭部レールを貫通するための歯状突起をさらに備える請求項２２に記載の装置。
【請求項２４】
頭部レールと底部レールと複数のブラインドスラットとを備えるベネチアン・ブラインド用の切断機械であって、
頭部レール開口と、底部レール開口と、２つのブラインドスラット開口とを画成する本体と；
前記頭部レールを切断するためのプレートであって、それを通って前記頭部レールの端部が受け取られる頭部レール開口部を画成し、前記頭部レール開口部は前記頭部レールの断面に対応するプロファイルを有し、少なくとも１つの歯状突起を含むプレートと；
ブレードハウジングと、前記底部レールを切断するための第１のブレードと、前記ブラインドスラットを切断するための第２のブレードとを備えるブレードアセンブリと；
前記プレートおよび前記ブレードアセンブリに作用的に接続された手動制御される駆動機構であって、前記プレートをダイ軸を中心に回転させて前記頭部レールを切断し、さらに前記ブレードアセンブリを線状に動かして前記底部レールおよび前記ブラインドスラットを切断し、前記頭部レール、前記底部レールおよび前記ブラインドスラットが同時に切断される駆動機構と、
調節可能な端部ガイドであって、それによって前記頭部レール、前記底部レールおよび前記ブラインドスラットの所望の長さが前記本体を通過したときに、前記頭部レール、前記底部レールおよび前記ブラインドスラットに接触するように構成される端部ガイドとを備える切断機械。
【請求項２５】
前記端部ガイドは、端部ガイドロックをさらに備える請求項２４に記載の装置。
【請求項２６】
前記駆動機構が前記端部ガイドを動かして、切断されたブラインド片を取り除くのを可能にするように、前記端部ガイドが前記駆動機構に作用的に接続される請求項２４に記載の装置。
【請求項２７】
前記本体に対して並置されたサポートをさらに備え、前記サポートは、少なくとも前記頭部レール、前記底部レールおよび前記ブラインドスラットを支持するように構成された少なくとも１つのブラケットを含む請求項２４に記載の装置。
【請求項２８】
ブラインドスラットクランプをさらに備える請求項２４に記載の装置。
【請求項２９】
前記第１のブレードは、前記底部レールをその横断面の長手軸に沿って切断するように構成される請求項２４に記載の装置。
【請求項３０】
前記第１のブレードは、先のとがった形状を有する請求項２４に記載の装置。
【請求項３１】
前記第２のブレードは、前記ブラインドスラットのプロファイルに実質的に対応する形状を有する請求項２４に記載の装置。
【請求項３２】
頭部レールと底部レールと複数のブラインドスラットとを有するベネチアン・ブラインドを切断する方法であって、
前記頭部レールの第１の端を、本体の頭部レール開口を通って、且つ、ダイの少なくとも１つの頭部レール開口部を通って挿入するステップと；
前記底部レールの第１の端を、前記本体の底部レール開口を通って挿入するステップと；
前記複数のブラインドスラットの第１の端を、前記本体の少なくとも１つのブラインドスラット開口を通って挿入するステップと；
前記頭部レールが前記ダイの少なくとも一部の回転運動によって切断されるように、駆動機構で前記ダイの少なくとも一部を動かすステップと；
前記底部レールおよび前記複数のブラインドスラットがブレードアセンブリによって切断されるように、前記駆動機構で前記ブレードアセンブリを動かすステップと；を含み、
前記頭部レールを切断することと、前記底部レールおよび前記複数のブラインドスラットを切断することとは同時に発生する方法。
【請求項３３】
前記複数のブラインドスラットの部分をブラインドスラットクランプで固定するステップをさらに含む請求項３２に記載の方法。
【請求項３４】
前記底部レールおよび前記複数のブラインドスラットを切断することとは、前記駆動機構で前記ブレードアセンブリを、前記底部レールの前記第１の端および前記複数のブラインドスラットの前記第１の端に交差する軌道に沿って線状に動かすことを含む請求項３２に記載の方法。
【請求項３５】
頭部レールと底部レールと複数のブラインドスラットとを備えるベネチアン・ブラインドを切断するための装置であって、
本体手段であって、前記本体手段の頭部レール開口を通って前記頭部レールを受け取り、前記本体手段の底部レール開口を通って前記底部レールをさらに受け取り、少なくとも１つのブラインドスラット開口を通って前記複数のブラインドスラットをさらに受け取るための本体手段と；
前記頭部レールを切断するための頭部レールカッター手段と；
前記底部レールおよび前記ブラインドスラットを切断するための底部レールおよびブラインドスラットカッター手段と；
前記頭部レールカッター手段と前記底部レールおよびブラインドスラットカッター手段とを同時に動かすための駆動手段であって、前記頭部レールカッター手段は回転式に動かされる駆動手段と、を備える装置。
【請求項３６】
切断されるべき前記頭部レール、前記底部レールおよび前記ブラインドスラットの寸法を取るための端部ガイド手段をさらに備える請求項３５に記載の装置。
【請求項３７】
前記端部ガイド手段は、前記駆動手段の始動に応答して動くことができる請求項３５に記載の装置。
【請求項３８】
前記複数のブラインドスラットを前記ブラインドスラット開口内に固定するためのブラインドスラットクランプ手段をさらに備える請求項３６に記載の装置。
【請求項３９】
前記本体に対して並置されたサポートをさらに備え、前記サポートは、少なくとも前記頭部レール、前記底部レールおよび前記ブラインドスラットを支持するように構成された少なくとも１つのブラケットを含む請求項３５に記載の装置。
【請求項４０】
前記駆動手段は手動で操作される請求項３５に記載の装置。
【発明の詳細な説明】
【０００１】
【発明が属する技術分野】
本発明は、ベネチアン・ブラインド用切断装置およびその装置を使用するための方法に関する。特に、本発明は、典型的なベネチアン・ブラインドの構成要素、すなわち、頭部レール、底部レール、および、ブラインドスラットの端を１回の操作で同時に切断することができる切断装置に関する。
【０００２】
【従来の技術】
ベネチアン・ブラインドは、よく知られた窓用カバーである。ベネチアン・ブラインドは一般に、頭部レールと底部レールと複数のブラインドスラットとを含む。頭部レールは、通常、比較的頑丈で剛性の金属から作られ、一方、底部レールおよびブラインドスラットは、アルミニウムのより薄い片から作られる。これらのブラインド構成要素の各々は、窓スペースにわたって水平に延在するように設計される。
【０００３】
しかし、窓スペースは、無数の異なる幅に製造されている。したがって、窓スペースの異なる幅に適応するために、多くの異なる幅のベネチアン・ブラインドが必要である。長年にわたり、注文ベースでベネチアン・ブラインドを製造することが慣例であった。各ブラインドは、特定の顧客用の特定の窓の幅に対応するブラインド構成要素の幅を備えて作られたものである。この手順は、処理に経済的尺度が欠けているため、比較的高価である。この慣習処理は、各特定の窓用にブラインドを注文製作するのに実質的にかなりの時間も必要とする。
【０００４】
この問題を改善するために、様々な製造業者が、様々な標準サイズのベネチアン・ブラインドを販売時点で所望の幅に切り取ることができるベネチアン・ブラインド切断機械を製造している。そのような機械では、そのような販売店からブラインドを購入希望する顧客は、自分の窓を測って訪れ、標準サイズブラインドのストックから、所望の測定値よりわずかに広いブラインドを選択するだけである。小売店は次いで、ブラインドの端を所望の幅に切り取る。
【０００５】
この種類の機械の１つの例は、カナダ特許出願第２，１３６，５１９号に開示された装置である。カナダ特許出願第２，１３６，５１９号に記載された装置は、頭部レールを切断するためにギロチン型ブレードまたはせん断装置を使用し、底部レールおよびブラインドスラットを切断するために第２のブレードアセンブリを使用するブラインド切断装置を提供する。ベネチアン・ブラインド構成要素は、構成要素が調節可能な端部ガイドに接触するまで、本体の開口を通って通過する。頭部レール、底部レールおよびブラインドスラット用のカッターは本体に対して並置され、これらはすべて駆動装置に接続され、駆動装置は起動されると頭部レールのカッターと、底部レールおよびブラインドスラット用のカッターとを線状すなわち真っ直ぐな軌道に沿って動かし、ベネチアン・ブラインド構成要素を切断する。
【０００６】
カナダ特許出願第２，１３６，５１９号に開示された装置の１つの欠点は、ブラインド構成要素を切断するのに必要な力の量である。上述のように、ベネチアン・ブラインドの頭部レールは一般に、切断するのが困難な、かなり頑丈な金属から作られる。カナダ特許出願第２，１３６，５１９号の装置は真っ直ぐな軌道に沿って切断するように構成されるため、切り取り作業を完了するためには、かなりの量の力が必要である。必要な力を提供するために、示された装置は油圧機構によって駆動される。そのような動力被動システムは、そのような機械のサイズおよび複雑性を増し、且つ、機械の費用を高くする。また、ブレードが使用されるため、オペレータは、摩耗したときにブレードを交換することが必要なため、かなりの停止時間を経験する可能性がある。
【０００７】
別のブラインド切断装置が、米国特許第５，８０６，３９４号、第６，１７８，８５７号および第６，１９６，０９９号に開示されている。これらの特許の各々には、頭部レールを切断するために、ギロチン型ブレードの代わりに、ダイプレートを使用するベネチアン・ブラインド用切断装置が開示されている。ダイプレートは、頭部レールを線状にまたは真っ直ぐな軌道に沿って、好ましくは対角線軸上で切断するように記載されている。切断処理中のいずれの一時にもブラインド構成要素を切断するための操作によって必要とされる力の量を少なくするために、頭部レールの切断は操作の一部分で起こり、底部レールおよびブラインドスラットの切断は別の部分で起こると、これらの特許は説明している。言い換えると、頭部レールの切断と、底部レールおよびブラインドスラットの切断とは、異なるときに実行される。具体的には、これらの特許には、切断ストロークの第１の部分の間に頭部レールを切断し、切断ストロークの第２の部分の間に底部レールおよびブラインドスラットを切断する駆動機構が記載されている。この２部分操作を達成するために、駆動機構は複雑なスリップピンを使用し、まずダイプレートに係合し、次にブレードアセンブリに係合するように伝動装置が用いられる。そのような配列は、一時に切断されるブラインド構成要素の数を制限することによって切断操作中にかかる力の量を少なくするが、切断操作を分離するために追加部品が必要であり、これは本質的により高価になり、機能停止しやすくなる。さらに、切断が同時に起こらないため、１つまたはそれ以上のブラインド構成要素が切断処理中に位置を変え、したがって、結果として不均一な切断になる可能性が高まる。
【０００８】
他の先行技術の装置も、容易に切断することが可能な底部レールの型に限定される。それらは、開放型またはＣ字型底部レールを切断することができるが、閉鎖した、すなわち、開口を有さない底部レールを切断するのは困難である。
【０００９】
【発明が解決しようとする課題】
必要とされているのは、簡略な機械でベネチアン・ブラインドを正確且つ効率的に切り取り、切断操作を完了するために必要な力の必要量を減少する装置である。本発明はこれらの要望に合致し、先行技術の欠点を克服する。
【００１０】
【課題を解決するための手段】
本発明は、ベネチアン・ブラインドを切断するための装置およびその装置を操作するための方法である。一般的に、そのようなベネチアン・ブラインドは、頭部レールと底部レールと複数のブラインドスラットとを含む。本発明は、ユーザが過度の力をかける必要なしに、単一段階操作でこれらすべての構成要素をオペレータが切断することを可能にする。
【００１１】
ブラインド切断装置は、頭部レール開口と、少なくとも１つのブラインドスラット開口と、底部レール開口とを画成する本体を含む。ブラインド切断装置は、頭部レールを切断するためのダイをさらに備える。ダイは、互いに隣接する同一平面上にある関係で位置する２つのプレートを含み、各々がそれを通って頭部レールの端が通過する頭部レール開口部を有する。ダイは本体の隣に位置し、ダイプレートの少なくとも１つは回転可能である。頭部レールの端が本体開口および２つの頭部レール開口部を通って通過した後に、その回転が２つのプレートの間に剪断作用を発生させ、それによって頭部レールを切断するように、ダイのプレートの少なくとも一方が駆動機構によって回転される。好適な実施形態において、プレートの一方の頭部レール開口部は、歯状突起を含んでもよく、これが頭部レールを貫通することによって頭部レールを切断するのを補助し、必要な力の量をさらに少なくする。
【００１２】
ブラインド切断装置は、底部レールおよびブラインドスラットを切断するためのブレードアセンブリも含み、これもまた本体の隣に位置する。底部レールおよびブラインドスラットはブレードアセンブリによって切断される。特に、底部レールおよびブラインドスラットの端は、本体の底部レールおよびブラインドスラット開口を通って通過する。ブレードアセンブリは、駆動装置に作用的に接続され、真っ直ぐなすなわち線状軌道に沿って動き、本体のそれぞれの開口を通って延在する底部レールおよびブラインドスラットの端と交差し、これらを切断する。ブレードアセンブリは、少なくとも１つのギロチン型ブレードを含むことが好ましいが、底部レールおよびブラインドスラットを切断するために２つ以上のブレードを含んでもよい。本発明のブレードアセンブリは、異なるサイズおよび形状の底部レールに適合するために、容易に交換可能でもある。たとえば、底部レールは、開口を有する形状を有するプロファイル、たとえば、Ｃ字型プロファイル、または、矩形の一方の側のセグメントが除去された矩形プロファイル等を備えることが多い。他の底部レールは、開口のないプロファイル、たとえば、楕円、矩形、円形または他の様々な閉鎖形状を有するように形状づけられる。切断されるべき底部レールに依存して、本発明のブレードアセンブリ用に異なるブレードまたはダイを容易に設置して使用することができる。ダイプレートによる頭部レールの切断と実質的に同時に底部レールおよびブラインドスラットがブレードアセンブリによって切断されるように、ブレードアセンブリおよびダイプレートは各々、駆動機構によって駆動される。
【００１３】
ダイのプレートの少なくとも一方が回転式に動いて頭部レールを切断するように設計されるため、ダイプレートが線状軌道に沿って動くよりも、頭部レールを切断するのに必要な力は少ない。頭部レールを切断するのに必要な力が少ないため、ユーザがかけるべき過度の量の力を必要とする操作の部分なしに、底部レールおよびブラインドスラットを、頭部レールと同時に切り取ることができる。
【００１４】
本発明は、端部ガイドを含んでもよい。この端部ガイドは、ブレードアセンブリに隣接して位置し、ブラインド構成要素が本体のそれぞれの開口を通ってどこまで遠くへ通過することができるかを制限するように構成される。このようにして、本発明のユーザは、切り取られるべきブラインド構成要素の量を正確に測ることができ、所望の量が切断されることを確実にする。いくつかの実施形態において、ブラインド構成要素が切断されるときに、端部ガイドが構成要素から離れて動き、そのため、切断された片を機械からより容易に取り除くことができるように、この端部ガイドは切断操作中に動くようにされてもよい。
【００１５】
本発明の操作は先の検討から明らかであるべきであるが、下記に、ベネチアン・ブラインドを本発明で切断する方法を簡略に説明する。機械のユーザは、まず、自分が切り取りたいベネチアン・ブラインドの合計量を決定する。ユーザは次に、切り取るべき合計量の半分に対応するように、端部ガイドを調節する。次いで、頭部レール、底部レールおよびブラインドスラットの一方の端が、本体のそれぞれの開口を通って挿入される。頭部レールはプレートのレール開口部も通る。ブラインド構成要素は、端部ガイドに接触するまでそれぞれの開口を通って延伸される。ブラインドスラットクランプが次いで係合され、ブラインドスラットを適所に保持するのを補助する。ユーザは次いでレバーを引き、これがダイプレートを回転させ、ブレードアセンブリを動かす。ブレードアセンブリの運動が底部レールおよびブラインドスラットを切断し、一方、プレートの回転が頭部レールを切断する。これらの構成要素の切り取りは、すべて同時に行われる。レバーを引くことによって、駆動機構に作用的に接続される一対の端部ガイドピストンを動かし、より容易な除去のために、切断されたブラインド片から端部ガイドを離れるように動かし往復運動させる。オペレータは、次いで、開始位置にレバーを戻し、ブラインドの他方の側を同一のやり方で切断する。
【００１６】
検討したように、本発明は、回転式に動くことができるダイプレートを使用して頭部レールを切断しながら、ギロチン型ブレードで底部レールおよびブラインドスラットを同時に切断する。すべてのベネチアン・ブラインド構成要素がほぼ同時に切断されるため、時間の節約になる。すべてのベネチアン・ブラインド構成要素が同時に切断されるため、結果として不均一な切断になる切り取り処理中の構成要素滑りの機会がほとんどない。
【００１７】
【発明の実施の形態】
ここに開示された本発明は、多くの異なる形態で実施することが可能である。本発明のある好適な実施形態が、図面に示され、下記に詳細に説明される。しかしながら、本発明の開示は本発明の原則および特徴の例であるが、本発明を例示された実施形態に限定するものではない。
【００１８】
図１および２を参照すると、本発明にしたがって、頭部レール１０、底部レール１５および複数のブラインドスラット２０等のベネチアン・ブラインド５の構成要素を切り取るのに適切なベネチアン・ブラインド切断装置１の実施形態が示される。頭部レール開口３０、ブラインドスラット開口３５、３６および底部レール開口４０を有する本体２５も、図１および６に示される。底部レール開口４０は、底部レール１５が図面に示されるその長い断面軸に沿って、正面から背部へと切断されるように、底部レール１５を平らに保持するように構成されることが好ましい。
【００１９】
本体２５に隣接してダイ４５が位置する。ダイ４５は、互いに対して回転式に摺動可能に係合する２枚の平行なまたは同一平面上にあるプレート４６、４７を備えることが好ましい。プレート４６、４７は、それぞれ頭部レール開口部５０および５１（図５）を含む。頭部レール開口部５０、５１の各々は、好ましくは頭部レール１０の断面に対応するプロファイルを有するが、頭部レール１０が頭部レール開口部５０、５１を通って通過することができるよう寸法はわずかに大きくなっている。より好適な実施形態において、頭部レール開口部５０は、１つまたはそれ以上の歯状突起５２を含み、これは、頭部レール１０を貫通するためのかどのようなエッジを提供して、頭部レール１０の容易な切断を可能にする。また、本体２５の隣には、底部レール１５およびブラインドスラット２０を切断するためのブレードアセンブリ５５が位置する。
【００２０】
ブレードアセンブリ５５およびダイ４５のプレート４６は両方とも動くことができ、駆動機構によって制御される。この実施形態において駆動機構は、駆動軸７５に接続されたレバーアーム７０からなるものとして示される。図３および５に示されるように、レバーアーム７０がオペレータによって引かれると、駆動軸７５は回転する。駆動軸７５が回転すると、プレート４６も頭部レール１０を切断するのに十分な量だけ回転する。頭部レール開口部５０、５１は、各々が頭部レール１０の断面に略対応するプロファイルを有するため、頭部レール１０の切断を完了するためにプレート４６が移動するのに必要な角度距離は最小である。このように、レバーアーム７０上の比較的大きなモーメント力がプレート４６を最小限度の角度距離を横切って転換されるので、ユーザがかける必要がある実際の力は最小になる。この好適な実施形態において、プレート４６は駆動スピンドル８２によってダイ軸８０を中心にして回転するようにされ、この回転はガイドピン８５によってさらに案内される。
【００２１】
駆動スピンドル８２は駆動はめ歯（図示せず）から延在し、駆動はめ歯は、駆動はめ歯と駆動軸７５とが一緒に回転するように、駆動軸７５に作用的に接続される。駆動はめ歯が回転すると、駆動はめ歯の中心軸からずれている駆動スピンドル８２は、プレート４６をダイ軸８０の周りに回転させる。本発明はプレート４６のみが回転可能であるとして記載されているが、プレート４６および４７の一方または両方が回転して剪断作用を発生させてもよい。あるいは、ダイ４５が、本体２５に隣接する１枚のプレートのみからなってもよい。そのような実施形態では、本体２５に対する単一プレートの剪断作用が頭部レール１０の切断を達成するように、頭部レール開口３０が頭部レール１０の断面に対応するプロファイルを有することが好ましい。
【００２２】
プレート４６の角運動と同時に、同じく駆動軸７５に作用的に接続されているブレードアセンブリ５５が、後述のように線状に動かされて底部レール１５およびブラインドスラット２０を切断する。好適な実施形態において、駆動軸７５が回転すると駆動はめ歯（図示せず）も回転し、これがラックおよびピニオン伝道装置（図示せず）を経由してブレードアセンブリ５５を動かす。この好適な実施形態に示されるブラインド切断機械１の操作は手動で動力を供給されるが、ブラインド切断機械１を操作するのに空気圧、油圧、またはその他の動力による被駆動手段を使用することは業界では知られていることに注意すべきである。したがって、そのような動力による被動駆動装置が本発明に組み込まれていることが企図される。
【００２３】
この好適な実施形態において、ブレードアセンブリ５５は、ブレードハウジング６７を備え、ブレードハウジング６７は、底部レール１５を切断するための第１のブレード６０と、複数のブラインドスラット２０を切断するための第２のブレード６５とを支持する。しかしながら、ブレードアセンブリ５５はダイであっても、または所望のブレードの他のいかなる配列であってもよい。底部レール１５を切断するための第１のブレード６０は、図４および５に示されるように、ほぼ先のとがった形状を有することが好ましい。また、複数のブラインドスラット２０を切断するための第２のブレード６５は、切断が行われた後に目に見えるままであるブラインドスラットの端部の均一な切断がより容易に達成されるように、ブラインドスラット２０と同様に、平らであるかまたはわずかに湾曲していることが好ましい。この実施形態において、ブレードハウジング６５は、第１のブレード６０と第２のブレード６５とを同時に動かして、底部レール１５およびブラインドスラット２０を切断する。図面に示されるように、第１のブレード６０は、底部レールを壊したり潰したりすることなく、その長い断面軸にわたって正面から背部まで底部レール１５を切断する。
【００２４】
本発明の好ましい特徴は端部ガイド９０であり、これは、図２に示されるように、ひとたび所望の量の頭部レール１０、底部レール１５およびブラインドスラット２０がそのそれぞれの開口３０、３５、３６、４０を通って供給されると、頭部レール１０、底部レール１５およびブラインドスラット２０の端部に接触するように構成される。したがって、機械のオペレータは、切り取るべきベネチアン・ブラインドの量を正確に測定し制御することができる。端部ガイド９０はまた端部ガイドロック１０５も含み、これは、その係合が解除されると、ユーザが端部ガイド９０を一対の端部ガイドピストン９５に沿って所望の位置に動かすことを可能にする。端部ガイドロック１０５が係合されると、端部ガイド９０は所望の位置に固定され、そのため所望の長さの頭部レール１０、底部レール１５およびブラインドスラット２０が、ダイ４５およびブレードアセンブリ５５を越えて伸長できる。好適な実施形態において、駆動軸７５が回転するときに、端部ガイドピストン９５が頭部レール１０、底部レール１５およびブラインドスラット２０の端に対して垂直に且つこれらから離れるほうへ端部ガイド９０を動かすように、端部ガイドピストン９５は駆動軸７５に作用的に接続される。そうすることによって、ブラインドの構成要素が切断されるときに端部ガイド９０はブラインド構成要素の端から離れて動かされているので、頭部レール１０、底部レール１５およびブラインドスラット２０の端部を切断時に取り外すのがより容易になる。
【００２５】
図１および２に示されるように、ブラインド切断機械１は、切り取られていないベネチアン・ブラインド５の端部を保持するためのブラインドサポート１１０を含むことが好ましい。この特定の実施形態においては、ブラインドサポート１１０は、３つのブラケット１１５、１２０、１２５を含む。ブラケット１１５、１２０、１２５は、ベネチアン・ブラインド５を水平に保つのに役立つ。図示のように、ブラケット１１５、１２０、１２５の各々は、ブラケットガイド１３０を含み、これを使用して、頭部レール１０、底部レール１５およびブラインドスラット２０を分離し、切断処理中にこれらのベネチアン・ブラインド構成要素が動くのを禁止する。ブラケット１１５、１２０、１２５は、異なる幅のブラインド用に調節することができるように、トラック１３５に沿って動けることが好ましい。
【００２６】
図６に示されるように、ベネチアン・ブラインド５の切断が実行される前に、ブラインドスラットクランプ１４０に係合することも好ましい。ブラインドスラットクランプ１４０は、ブラインドサポート１１０によって支持され、ブラインドスラットクランプ１４０が係合されるときに、ブラインドスラット２０をブラインドスラット開口３５、３６の片側に保持する一対のフィン１４１を含む。これは、切断操作中にブラインドスラット２０が動くのをさらに防止して均一な切断を確実にするように機能する。
【００２７】
ブラインド切断装置１の操作は、先の検討から明らかであるべきであるが、下記にベネチアン・ブラインド５を本発明で切断する方法を簡略に説明する。機械のユーザは、まず、自分が切り取りたいベネチアン・ブラインド５の合計量を決定する。ユーザは次に、切り取るべき合計量の半分に対応するように、端部ガイド９０を調節する。次いで、頭部レール１０、底部レール１５およびブラインドスラット２０の一方の端が、本体２５のそれぞれの開口３０、３５、３６、４０を通って中に挿入される。頭部レール１０は同様にプレートのレール開口部５０、５１を通って通過する。ブラインド構成要素１０、１５、２０は、端部ガイド９０に接触するまで延伸される。ブラインドスラットクランプ１４０が次いで係合され、ブラインドスラット２０を適所に保持するのを補助する。ユーザは次いでレバー７０を引き、これがダイプレート４６を回転させ、ブレードアセンブリ５５を動かす。ブレードアセンブリ５５の動きが底部レール１５およびブラインドスラット２０を切断し、一方、プレート４６の回転が頭部レール１０を切断する。これらの構成要素の切り取りは、すべて同時に行われる。レバー７０を引くと、駆動機構に作用的に接続された一対の端部ガイドピストン９５が動かされ、より容易な除去のために、切断されたブラインド片から離れるほうへ端部ガイド９０を動かし、往復運動させる。オペレータは、次いで、開始位置にレバーを戻し、ブラインドの他方の側を同一の仕方で切断する。
【００２８】
プレート４６とプレート４７との間の相対運動は、線状ではなくむしろ弓形であるため、いかなる一時にもより少量の頭部レール１０が切断される。切断作用はまた、穿孔動作であるより、むしろスライス動作である。したがって、頭部レール１０を切断するためにレバーアーム７０にオペレータがかける必要がある力は、線状軌道に沿ってなされる切断に必要なものよりも少ない。好適な実施形態において、頭部レール開口部５０は歯状突起５２を含み、これは、頭部レール１０を切断するために剪断作用に加えて貫通作用も形成する。歯状突起５２のこの貫通作用は、必要な力の量をさらに少なくする。
【００２９】
前述の説明および図面は、本発明の例示的なものであり、限定的であると取られるべきではない。本発明の精神および範囲内で、さらに別の変形例および部品の再配列が可能であり、当業者には容易に明らかである。
【図面の簡単な説明】
【図１】図１は本発明によるブラインド切断装置の実施形態の斜視図である。
【図２】図２はベネチアン・ブラインドを備えた、本発明によるブラインド切断装置の実施形態の斜視図である。
【図３】図３はベネチアン・ブラインドの切断が示される、本発明によるブラインド切断装置の実施形態の斜視図である。
【図４】図４は開始位置のブラインド切断装置の側立面図である。
【図５】図５はダイプレートとブレードアセンブリの動きを示すブラインド切断装置の側立面図である。
【図６】図６は本発明によるブラインド切断装置の実施形態の第２の斜視図である。
【符号の説明】
１０  頭部レール
１５  底部レール
２０  ブラインドスラット
２５  本体
３０  頭部レール開口
３５，３６  ブラインドスラット開口
４０  底部レール開口
４５  ダイ
４６  プレート
５０，５１  頭部レール開口部
５５  ブレードアセンブリ
【図１】
0004015473.tif 000002
【図２】
0004015473.tif 000003
【図３】
0004015473.tif 000004
【図４】
0004015473.tif 000005
【図５】
0004015473.tif 000006
【図６】
0004015473.tif 000007